(57)【要約】【課題】液体の漏れを防止する効果を維持しつつ、吸収性物品の脚周り開口部付近の領域の通気性を高めることができる。【解決手段】吸収性物品は、幅方向Ｗの両側に配置され、着用状態において着用者の脚回りに配置される脚回り開口部３５と、吸収体４０よりも非肌面側に設けられ、吸収体４０よりも幅方向Ｗの外側へ延びた防漏シート６０ａと、を備える。少なくとも脚回り開口部３５において、防漏シート６０ａの肌面側に、防漏シート６０ａよりも高い透湿度を有する透湿シート６４，７０が設けられている。透湿シート６４，７０は、防漏シート６０ａに接合された接合部と、前記防漏シートに接合されておらず、防漏シート６０ａから立ち上がり可能な内側ギャザー７４と、を有する。内側ギャザー７４は、立ち上がり基点Ｂ１から幅方向Ｗの外側へ延びる。内側ギャザー７４は、前後方向Ｌに伸縮する第１弾性部材７５を有する。【選択図】図３
2017153929.tif 000002
【特許請求の範囲】
【請求項１】
前後方向と、
前記前後方向に直交する幅方向と、
吸収体と、
前記幅方向の両側に配置され、着用状態において着用者の脚回りに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記防漏シートに接合された接合部と、前記防漏シートに接合されておらず、前記防漏シートから立ち上がり可能な内側ギャザーと、を有しており、
前記内側ギャザーは、立ち上がり基点から前記幅方向の外側へ延び、
前記内側ギャザーは、前記前後方向に伸縮する第１弾性部材を有する、吸収性物品。
【請求項２】
前記防漏シートは、前記幅方向において前記内側ギャザーの前記立ち上がり基点よりも内側に、前記前後方向に伸縮する第２弾性部材を有する、請求項１に記載の吸収性物品。
【請求項３】
着用者の腹側に配置される前胴回り域と、
着用者の背側に配置される後胴回り域と、
前記後胴回り域に設けられたファスニングテープと、
前記前胴回り域に設けられ、前記ファスニングテープが止着されるターゲット部と、を有し、
前記ターゲット部は、前記幅方向において前記内側ギャザーの前記立ち上がり基点よりも外側へ延びている、請求項１又は２に記載の吸収性物品。
【請求項４】
前記透湿シートは、第１透湿シートと、前記第１透湿シートの非肌面側に設けられ、前記第１透湿シートよりも高い親水性を有する第２透湿シートと、を含む、請求項１から３のいずれか１項に記載の吸収性物品。
【請求項５】
前記幅方向において前記立ち上がり基点から前記防漏シートの外側縁までの距離は、前記幅方向において前記立ち上がり基点から前記透湿シートの外側縁までの距離よりも短い、請求項１から４のいずれか１項に記載の吸収性物品。
【請求項６】
前記防漏シートは、前記幅方向において前記内側ギャザーの前記立ち上がり基点よりも外側で、前記幅方向において前記第１弾性部材よりも内側に、前記前後方向に伸縮する第２弾性部材を有する、請求項１に記載の吸収性物品。
【請求項７】
前記立ち上がり基点は、前記幅方向における吸収体の縁部よりも内側に位置する、請求項１から６のいずれか１項に記載の吸収性物品。
【請求項８】
前記透湿シートは、前記幅方向における内側縁で前記前後方向に沿った折り線で折り返されおり、
前記透湿シートの肌面側の第１部分と前記透湿シートの非肌面側の第２部分とが前記吸収性物品の厚み方向に重なっており、
前記透湿シートの前記第２部分が前記防漏シートに接合されている、請求項１から７のいずれか１項に記載の吸収性物品。
【請求項９】
着用者の腹側に配置される前胴回り域と、
着用者の背側に配置される後胴回り域と、
前記前胴回り域と前記後胴回り域との間に位置する股下域と、を有し、
前記透湿シートの前記第１部分と前記透湿シートの前記第２部分は、少なくとも前記前胴回り域及び前記後胴回り域で互いに接合されている、請求項８に記載の吸収性物品。
【請求項１０】
前記透湿シートの前記第１部分と前記透湿シートの前記第２部分は、前記股下域において、前記折り線に沿って設けられた接合部で互いに接合されており、
前記接合部が立ち上がり基点を構成する、請求項９に記載の吸収性物品。
【請求項１１】
着用者の腹側に配置される前胴回り域と、
着用者の背側に配置される後胴回り域と、
前記前胴回り域と前記後胴回り域との間に位置する股下域と、を有し、
前記透湿シートは、少なくとも前記幅方向において前記吸収体全体を覆っており、
前記透湿シートは、前記股下域において前記防漏シートに接合されていない、又は前記股下域において部分的に設けられた接合部で前記防漏シートに接合されている、請求項１から７のいずれか１項に記載の吸収性物品。
【請求項１２】
前記透湿シートは、前記防漏シートから立ち上がり可能な前記内側ギャザーよりも前記前後方向の両側で、前記防漏シートに接合されている、請求項１１に記載の吸収性物品。
【請求項１３】
前記接合部は、前記股下域において前記前後方向に沿って部分的に延びている、請求項１０から１２のいずれか１項に記載の吸収性物品。
【請求項１４】
前記接合部は、少なくとも前記前後方向における前記吸収性物品の中心よりも後側の領域において、前記幅方向における前記吸収体の外側縁よりも外側から、前記吸収体の前記外側縁を超えて前記幅方向の内側へ延びている、請求項１０から１２のいずれか１項に記載の吸収性物品。
【請求項１５】
前後方向と、
前記前後方向に直交する幅方向と、
吸収体と、
前記幅方向の両側に配置され、着用状態において着用者の脚回りに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記幅方向における外側部において、前記防漏シートに接合されておらず前記防漏シートから立ち上がり可能な内側ギャザーを有し、
前記内側ギャザーは、前記前後方向に伸縮する第１弾性部材を有する、吸収性物品。
【発明の詳細な説明】
【技術分野】
【０００１】
本発明は、例えば使い捨ておむつのような吸収性物品に関する。
【背景技術】
【０００２】
特許文献１は、液透過性の表面シートと、液不透過性の裏面シートと、表面シートと裏面シートとの間に設けられた吸収体と、を備えた使い捨ておむつを開示している。特許文献１に記載された使い捨ておむつは、吸収体の両サイド近傍に、第１サイドフラップと第２サイドフラップを有する。第１サイドフラップは着用者の肌に接し、第２サイドフラップは第１サイドフラップの裏側に設けられている。第１サイドフラップ及び第２サイドフラップは、少なくとも液不透過性のシートを有し、弾性伸縮部材によってギャザーを形成している。
【先行技術文献】
【特許文献】
【０００３】
【特許文献１】特開２０１２−２４５１３０号
【発明の概要】
【発明が解決しようとする課題】
【０００４】
特許文献１に記載された使い捨ておむつでは、液体の漏れ防止の目的のため、第１サイドフラップ及び第２サイドフラップが液不透過性のシートを有している。本願発明者は、着用者の脚周りに配置される脚周り開口部付近の領域が液不透過性のシートで少なくとも２重に構成されているため、脚周り開口部付近の領域の通気性が低下するという課題を発見した。
したがって、脚周り開口部付近の領域において液体の漏れを防止しつつ通気性を高めることができる吸収性物品が望まれる。
【課題を解決するための手段】
【０００５】
一実施形態に係る吸収性物品は、前後方向と、前記前後方向に直交する幅方向と、吸収体と、前記幅方向の両側に配置され、着用状態において着用者の脚回りに配置される脚回り開口部と、前記吸収体よりも非肌面側に設けられ、前記吸収体よりも前記幅方向の外側へ延びた防漏シートと、を備える。少なくとも前記脚回り開口部において、前記防漏シートの肌面側に、前記防漏シートよりも高い透湿度を有する透湿シートが設けられている。前記透湿シートは、前記防漏シートに接合された接合部と、前記防漏シートに接合されておらず、前記防漏シートから立ち上がり可能な内側ギャザーと、を有している。前記内側ギャザーは、立ち上がり基点から前記幅方向の外側へ延びる。前記内側ギャザーは、前記前後方向に伸縮する第１弾性部材を有する。
【発明の効果】
【０００６】
上記態様に係る吸収性物品によれば、液体の漏れを防止する効果を維持しつつ、吸収性物品の脚周り領域の通気性を高めることができる。
【図面の簡単な説明】
【０００７】
【図１】一実施形態における吸収性物品の平面図である。
【図２】図１とは反対側から見た吸収性物品の平面図である。
【図３】図１の３Ａ−３Ａ線に沿った吸収性物品の模式的断面図である。
【図４】第２実施形態に係る吸収性物品の断面図である。
【図５】図２の５Ａ−５Ａ線に沿った吸収性物品の模式的断面図である。
【図６】第３実施形態に係る吸収性物品の非肌面側から見た平面図である。
【図７】図６の７Ａ−７Ａ線に沿った吸収性物品の模式的断面図である。
【図８】第４実施形態に係る吸収性物品の非肌面側から見た平面図である。
【図９】図８の９Ａ−９Ａ線に沿った吸収性物品の模式的断面図である。
【図１０】第５実施形態に係る吸収性物品の非肌面側から見た平面図である。
【図１１】図１０の１１Ａ−１１Ａ線に沿った吸収性物品の模式的断面図である。
【図１２】図１０の１２Ａ−１２Ａ線に沿った吸収性物品の模式的断面図である。
【図１３】第６実施形態に係る吸収性物品において透湿シートと防漏シートとの接合部の領域を示す模式的平面図である。
【図１４】第７実施形態に係る吸収性物品において透湿シートと防漏シートとの接合部の領域を示す模式的平面図である。
【図１５】第８実施形態に係る吸収性物品において透湿シートと防漏シートとの接合部の領域を示す模式的平面図である。
【発明を実施するための形態】
【０００８】
本明細書及び添付図面の記載により、少なくとも以下の事項が明らかとなる。
前後方向と、
前記前後方向に直交する幅方向と、
吸収体と、
前記幅方向の両側に配置され、着用状態において着用者の脚まわりに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記防漏シートに接合された接合部と、前記防漏シートに接合されておらず、前記防漏シートから立ち上がり可能な内側ギャザーと、を有しており、
前記内側ギャザーは、立ち上がり基点から前記幅方向の外側へ延び、
前記内側ギャザーは、前記前後方向に伸縮する第１弾性部材を有する、吸収性物品。
【０００９】
ここで、立ち上がり基点は、内側ギャザーの根本、すなわち内側ギャザーの立ち上がり始める縁線によって定義される。より具体的には、股下域における内側ギャザーの根本のうち最も幅方向外側に位置する部分、すなわち股下域において内側ギャザーの立ち上がり始める縁線のうち最も幅方向外側に位置する部分によって定義される。
【００１０】
本実施形態に係る吸収性物品では、内側ギャザーは、第１弾性部材の作用により、防漏シートから立ち上がり、着用者の脚回りに密着し易くなる。これにより、寝た姿勢や座った姿勢で着用者の耐圧がかかっていない領域において、着用者の脚回り領域から防漏シートが離れるので、脚回り領域の通気性が向上する。さらに、内側ギャザーは防漏シートよりも高い透湿度を有するため、脚回り領域の通気性がより向上する。
【００１１】
また、一般に、着用者が寝た姿勢において着用者の臀部や太腿から吸収体付近に圧力がかかった場合に、圧力によって吸収性物品から液体が漏れ易い。着用者が寝た姿勢や座った姿勢においては、着用者の太腿が吸収性物品の脚回り開口部付近を押圧することになる。本実施形態に係る吸収性物品では、着用者が寝た姿勢や座った姿勢において、太腿からの圧力により、内側ギャザーの非肌面側に防漏シートが密着することになる。これにより、防漏シートは、着用者が寝た姿勢や座った姿勢において、脚回り開口部付近の領域からの液体の漏れを抑制する。
【００１２】
以上のように、本実施形態に係る吸収性物品によれば、脚回り開口部付近の領域からの液体の漏れを防止する効果を維持しつつ、脚回り開口部付近の領域の通気性を高めることができる。
【００１３】
一実施形態によれば、前記防漏シートは、前記幅方向において前記内側ギャザーの前記立ち上がり基点よりも内側に、前記前後方向に伸縮する第２弾性部材を有する。
【００１４】
幅方向において内側ギャザーよりも内側に存在する第２弾性部材の収縮によって、内側ギャザーよりも内側の領域が着用者の肌のまわりに沿い易くなり、これに伴い内側ギャザーがより着用者の脚回りに密着し易くなる。内側ギャザーが着用者の脚回りに密着することで、脚回り開口部からの液体の漏れを抑制することができる。
【００１５】
一実施形態によれば、着用者の腹側に配置される前胴回り域と、着用者の背側に配置される後胴回り域と、前記後胴回り域に設けられたファスニングテープと、前記前胴回り域に設けられ、前記ファスニングテープが止着されるターゲット部と、を有し、前記ターゲット部は、前記幅方向において前記内側ギャザーの前記立ち上がり基点よりも外側へ延びている。
【００１６】
着用状態において、前胴回り域の幅方向外側部分は、後胴回り域と擦れたり、着用者の動作の影響を受けやすい箇所となっている。したがって、前胴回り域の幅方向外側部分は、着用中に曲がるように変形し易い。前胴回り域の幅方向外側部分がこのように変形すると、その影響が脚回り開口部付近の領域へ伝わり、脚回り開口部付近の領域が捲れてしまうことがある。本実施形態では、内側ギャザーの立ち上がり基点よりも外側へ延びたターゲット部によって前胴回り域の外側部の剛性が向上するため、前胴回り域の幅方向外側部分の変形を抑制し、これにより、脚回り開口部付近の領域の捲れを抑制することができる。したがって、前胴回り域の外側部が、着用者の肌に沿った状態を維持し易くなっている。その結果、脚周り開口部付近からの液体の漏れをより抑制することができる。
【００１７】
一実施形態によれば、前記透湿シートは、第１透湿シートと、前記第１透湿シートの非肌面側に設けられ、前記第１透湿シートよりも高い親水性を有する第２透湿シートと、を含む。
【００１８】
第２透湿シートの親水性は、着用者の肌に面する第１透湿シートの親水性よりも高い。第１透湿シートが着用者の肌から水分を吸収した場合、水分は、第１透湿シートから第２透湿シートの方へ移動し易い。これにより、着用者の汗を外気に放出し易くなる。また、着用者の肌に接する第１透湿シートをより乾燥した状態に維持することができ、心地よい吸収性物品を提供することができる。
【００１９】
一実施形態によれば、前記幅方向において前記立ち上がり基点から前記防漏シートの外側縁までの距離は、前記幅方向において前記立ち上がり基点から前記透湿シートの外側縁までの距離よりも短い。
【００２０】
内側ギャザーの立ち上がり基点から防漏シートの外側縁までの距離が比較的短いため、着用者の動作中に、防漏シートの外側縁が非肌面側に反り返ることを抑制することができる。これにより、着用者が寝た姿勢や座った姿勢において、防漏シートの外側縁が非肌面側に折り返された状態になることが防止され、その結果、脚回り開口部付近からの液体の漏れを抑制し易くなる。
【００２１】
一実施形態によれば、前記防漏シートは、前記幅方向において前記内側ギャザーの前記立ち上がり基点よりも外側で、前記幅方向において前記第１弾性部材よりも内側に、前記前後方向に伸縮する第２弾性部材を有する。
【００２２】
防漏シートが、幅方向において内側ギャザーの第１弾性部材とは異なる位置に、第２弾性部材を有するため、内側ギャザーとは異なって収縮しようとする。これにより、内側ギャザーと防漏シートとを離間し易くすることができる。
【００２３】
一実施形態によれば、前記立ち上がり基点は、前記幅方向における吸収体の縁部よりも内側に位置する。
【００２４】
これにより、内側ギャザーは、少なくとも股下域において、吸収体の端部のところで防漏シートから離れ得る。これにより、吸収体の端部のところでも、通気性が向上する。したがって、使用者の脚の付け根付近のかぶれ等を抑止することができる。
【００２５】
一実施形態によれば、前記透湿シートは、前記幅方向における内側縁で前記前後方向に沿った折り線で折り返されおり、前記透湿シートの肌面側の第１部分と前記透湿シートの非肌面側の第２部分とが前記吸収性物品の厚み方向に重なっており、前記透湿シートの前記第２部分が前記防漏シートに接合されている。
【００２６】
透湿シートの折り返しによって内側ギャザーが構成されるため、透湿シートが開こうとする力によって内側ギャザーを防漏シートから離間させることができる。
【００２７】
一実施形態によれば、吸収性物品は、着用者の腹側に配置される前胴回り域と、着用者の背側に配置される後胴回り域と、前記前胴回り域と前記後胴回り域との間に位置する股下域と、を有し、前記透湿シートの前記第１部分と前記透湿シートの前記第２部分は、少なくとも前記前胴回り域及び前記後胴回り域で互いに接合されている。
【００２８】
少なくとも前胴回り域及び後胴回り域で第１部分と第２部分とが互いに接合されているので、内側ギャザー又は防漏シートの外側縁が非肌面側にめくり返されてしまうことを抑制することができる。これにより、内側ギャザーの立ち上がりを必要な限度に維持することができる。また、吸収性物品の製造中に内側ギャザー又は防漏シートの外側縁が非肌面側にめくり返されないため、良品を安定的に製造することができる。
【００２９】
一実施形態によれば、前記透湿シートの前記第１部分と前記透湿シートの前記第２部分は、前記股下域において、前記折り線に沿って設けられた接合部で互いに接合されており、前記接合部が立ち上がり基点を構成する。
【００３０】
透湿シートの第１部分と透湿シートの第２部分とが、接合部で互いに接合されているので、内側ギャザー又は防漏シートの外側縁が非肌面側にめくり返されてしまうことを抑制することができる。これにより、内側ギャザーの立ち上がりを必要な限度に維持することができる。
【００３１】
一実施形態によれば、吸収性物品は、着用者の腹側に配置される前胴回り域と、着用者の背側に配置される後胴回り域と、前記前胴回り域と前記後胴回り域との間に位置する股下域と、を有し、前記透湿シートは、少なくとも前記幅方向において前記吸収体全体を覆っており、前記透湿シートは、前記股下域において前記防漏シートに接合されていない、又は前記股下域において間欠的に設けられた接合部で前記防漏シートに接合されている。
【００３２】
この場合であっても、透湿シートの幅方向Ｗの外側部は、防漏シートから立ち上がり可能な内側ギャザーを構成する。したがって、上述したように、脚回り開口部付近の領域からの液体の漏れを防止する効果を維持しつつ、脚回り開口部付近の領域の通気性を高めることができる。また、内側ギャザーを構成する透湿シートが、吸収体の非肌面側に存在するため、吸収体の領域の通気性も高めることができる。
【００３３】
一実施形態によれば、前記透湿シートは、前記防漏シートから立ち上がり可能な前記内側ギャザーよりも前記前後方向の両側で、前記防漏シートに接合されている。
【００３４】
透湿シートが、内側ギャザーよりも前後方向の両側で防漏シートに接合されているため、防漏シートの外側縁が非肌面側に反り返ることを抑制することができる。
【００３５】
一実施形態によれば、前記接合部は、前記股下域において前記前後方向に沿って部分的に延びている。
【００３６】
前後方向に沿った接合部は、股下域において液体が幅方向に流れることを防止する。これにより、液体の横漏れを抑制することができる。その一方で、接合部は、前後方向に部分的に延びているので、股下域において湿気は外部まで通り易くなっている。これにより、液体の漏れ抑制と通気性の向上との両立を図ることができる。
【００３７】
一実施形態によれば、前記接合部は、少なくとも前記前後方向における前記吸収性物品の中心よりも後側の領域において、前記幅方向における前記吸収体の外側縁よりも外側から、前記吸収体の前記外側縁を超えて前記幅方向の内側へ延びている。
【００３８】
前後方向における吸収性物品の中心よりも後側の部分は、着用者の臀部又はその上部に対向する領域である。したがって、この領域は、着用者が座った姿勢及び着用者が寝た姿勢において、強い圧力を受ける。液体を吸収した吸収体が強い圧力を受けると、吸収体から染み出した液体が幅方向における吸収体の外側縁へ漏れる虞がある。本実施形態では、少なくとも前後方向における吸収性物品の中心よりも後側の領域において、接合部が、幅方向における吸収体の外側縁よりも外側から、吸収体の外側縁を超えて幅方向の内側へ延びているため、着用者の臀部から強い圧力を受ける領域においてシート同士が立ち上がらない。これにより、吸収体から液体が染み出し易い領域は、防漏シートと密着することになるので、液体の漏れを抑制することができる。
【００３９】
一実施形態に係る吸収性物品は、
前後方向と、
前記前後方向に直交する幅方向と、
吸収体と、
前記幅方向の両側に配置され、着用状態において着用者の脚回りに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記幅方向における外側部において、前記防漏シートに接合されておらず前記防漏シートから立ち上がり可能な内側ギャザーを有し、
前記内側ギャザーは、前記前後方向に伸縮する第１弾性部材を有する。
【００４０】
本実施形態に係る吸収性物品では、内側ギャザーは、第１弾性部材７５の作用により、防漏シートから立ち上がり、着用者の脚回りに密着し易くなる。これにより、寝た姿勢や座った姿勢で着用者の耐圧がかかっていない領域において、着用者の脚回り領域から防漏シートが離れるので、脚回り領域の通気性が向上する。さらに、内側ギャザーは防漏シートよりも高い透湿度を有するため、脚回り領域の通気性がより向上する。
【００４１】
また、一般に、着用者が寝た姿勢において着用者の臀部や太腿から吸収体付近に圧力がかかった場合に、圧力によって吸収性物品から液体が漏れ易い。着用者が寝た姿勢や座った姿勢においては、着用者の太腿が吸収性物品の脚回り開口部付近を押圧することになる。本実施形態に係る吸収性物品では、着用者が寝た姿勢や座った姿勢において、太腿からの圧力により、内側ギャザーの非肌面側に防漏シートが密着することになる。これにより、防漏シートは、着用者が寝た姿勢や座った姿勢において、脚回り開口部付近の領域からの液体の漏れを抑制する。
【００４２】
以上のように、脚回り開口部付近の領域からの液体の漏れを防止する効果を維持しつつ、脚回り開口部付近の領域の通気性を高めることができる。
【００４３】
次に、一実施形態に係る吸収性物品について、図面を参照しながら説明する。本実施形態において、吸収性物品は、使い捨ておむつである。なお、以下の図面の記載において、同一または類似の部分には、同一または類似の符号を付している。ただし、図面は模式的なものであり、各寸法の比率などは現実のものとは異なる場合があることに留意すべきである。したがって、具体的な寸法などは以下の説明を参酌して判断すべきである。また、図面相互間においても互いの寸法の関係や比率が異なる部分が含まれ得る。
【００４４】
（１）使い捨ておむつの全体概略構成
図１は、本実施形態に係る使い捨ておむつ１０の展開状態の平面図である。図２は、図１とは反対側から見た使い捨ておむつ１０の平面図である。図３は、図１の３Ａ−３Ａ線に沿った使い捨ておむつ１０の模式的断面図である。図１及び図２に示す平面図は、使い捨ておむつ１０を構成するトップシート５０及びサイドシート７０等の皺がなくなるまで、弾性部材７５，７６，７７を伸長させた状態の図である。
【００４５】
使い捨ておむつ１０は、前胴回り域２０と、股下域２５と、後胴回り域３０と、を有する。前胴回り域２０は、着用者の前胴回り部（腹部分）に配置される部分である。また、後胴回り域３０は、着用者の後胴回り部（背部分）に配置される部分である。股下域２５は、前胴回り域２０と後胴回り域３０との間に位置する。股下域２５は、脚回り開口部３５が設けられる領域である。脚回り開口部３５は、幅方向Ｗにおける使い捨ておむつの両側に設けられている。脚回り開口部３５は、使い捨ておむつが着用者に着用された着用状態で着用者の脚回りに沿って配置される部分である。
【００４６】
なお、本実施形態では、前胴回り域２０から後胴回り域３０に向かう方向を前後方向Ｌと呼ぶ。幅方向Ｗは、前後方向Ｌと直交する方向である。厚み方向Ｔは、着用者の肌面側Ｔ１と、肌面側Ｔ１と反対側であって着用者の非肌面側Ｔ２と、を含む方向である。
【００４７】
使い捨ておむつ１０は、吸収体４０と、吸収体４０の肌面側Ｔ１に配置される肌面シートと、吸収体４０の非肌面側Ｔ２に配置される非肌面シートと、を少なくとも有する。吸収体４０は、少なくとも股下域２５に配置される。吸収体４０は吸収コア及びコアラップを有する。吸収コアは、粉砕パルプや高吸収ポリマー（ＳＡＰ）などの吸収材料を含んでいる。コアラップは吸収コアを覆うシートである。コアラップは、透液性を有する各種の繊維不織布又はティッシュによって構成される。
【００４８】
肌面シートは、トップシート５０と、サイドシート７０と、を有する。トップシート５０は、不織布や織物などの液透過性のシートによって形成される。トップシート５０は、着用者の肌に当接するシートである。
【００４９】
サイドシート７０は、幅方向Ｗにおけるトップシート５０の外側縁を覆い、トップシート５０よりも幅方向外側に延出する。幅方向Ｗにおけるサイドシート７０の内側縁は、幅方向外側に折り返されている。折り返されることによって２層に重なったサイドシート７０の領域に、前後方向Ｌに伸縮する第３弾性部材７７が配置される。サイドシート７０と第３弾性部材７７とは、漏防カフを構成する。
【００５０】
非肌面シートは、少なくとも防漏シート６０ａと外装シート６０を有する。防漏シート６０ａは、液不透過性を有し、吸収体４０よりも非肌面側に配置される。防漏シート６０ａは、吸収体４０よりも幅方向Ｗの外側へ延びている。外装シート６０は、防漏シート６０ａの非肌面側に配置され、防漏シート６０ａを覆っている。
【００５１】
防漏シート６０ａは、例えばＳＭＳ等の不織布から形成することができる。防漏シート６０ａの透湿度は、１５００〜４０００ｇ／ｍ２／２４ｈｒの範囲であることが好ましい。防漏シート６０ａの透湿度が４０００ｇ／ｍ２／２４ｈｒ以下であることで、吸収体４０に吸収された液体が防漏シート６０ａを透過して漏れることを抑制することができる。
【００５２】
使い捨ておむつ１０は、後胴回り域３０にファスニングテープ９０を備えている。ファスニングテープ９０は、サイドシート７０に取り付けられている。ファスニングテープ９０は、後胴回り域３０において、幅方向Ｗに沿って延びている。ファスニングテープ９０は、前胴回り域２０に設けられたターゲット部９５に止着される止着部９２を有する。ファスニングテープ９０の止着部９２がターゲット部９５に止着されることによって、使い捨ておむつ１０を着用者の身体に保持することができる。
【００５３】
使い捨ておむつ１０は、少なくとも脚回り開口部３５において、防漏シート６０ａの肌面側に、透湿シート６４，７０を有する。透湿シート６４，７０は、防漏シート６０ａよりも高い透湿度を有する。本実施形態では、透湿シート６４，７０は、２層に構成されている。２層の透湿シートのうちの１層は、サイドシート７０の一部となっている。この実施形態の代わりに、２層の透湿シートのうちの１層は、サイドシート７０とは別のシートから構成されていてもよい。
【００５４】
透湿シート６４，７０は、防漏シート６０ａに接合された接合部と、防漏シート６０ａに接合されておらず、防漏シート６０ａから立ち上がり可能な内側ギャザー７４と、を有する。内側ギャザー７４は、前後方向Ｌに伸縮する第１弾性部材７５を有する。第１弾性部材７５は、立ち上がり基点Ｂ１上か、それよりも幅方向Ｗの外側に配置されている。第１弾性部材７５の収縮力で透湿シート６４，７０が収縮することによって、内側ギャザー７４が形成されている。
【００５５】
内側ギャザー７４は、防漏シート６０ａから立ち上がり可能であり、立ち上がり基点Ｂ１から幅方向Ｗの外側へ延びている。ここで、立ち上がり基点Ｂ１は、内側ギャザー７４の根本、すなわち内側ギャザー７４の立ち上がり始める縁線によって定義される。
【００５６】
本実施形態では、透湿シート６４は、２つに折り返されている。透湿シート６４の肌面側の一面は、サイドシート７０に接合されている。透湿シート６４の非肌面側の一面は、防漏シート６０ａに接合されている。２つに折られた透湿シート６４の内側の面は、互いに接合されていない。これにより、透湿シート６４の肌面側の部分が、防漏シート６０ａから立ち上がり可能になっている。
【００５７】
内側ギャザー７４は、第１弾性部材７５の作用により、防漏シート６０ａから立ち上がり、着用者の脚回りに密着し易くなっている。これにより、寝た姿勢や座った姿勢で着用者の耐圧がかかっていない領域において、着用者の脚回り領域から防漏シート６０ａが離れるので、脚回り開口部３５付近の領域の通気性が向上する。さらに、内側ギャザー７４は防漏シート６０ａよりも高い透湿度を有するため、脚回り開口部３５付近の領域の通気性がより向上する。
【００５８】
また、一般に、着用者が寝た姿勢や座った姿勢において着用者の臀部や太腿から吸収体４０付近に圧力がかかった場合に、圧力によって吸収性物品から液体が漏れ易い。着用者が寝た姿勢や座った姿勢においては、着用者の太腿が吸収性物品の脚回り開口部３５付近を押圧することになる。本実施形態では、着用者が寝た姿勢や座った姿勢において、太腿からの圧力により、内側ギャザー７４の非肌面側に防漏シート６０ａが密着することになる。これにより、防漏シート６０ａは、着用者が寝た姿勢や座った姿勢において、脚回り開口部３５付近の領域からの液体の漏れを抑制する。以上のように、本実施形態によれば、脚回り開口部３５付近の領域からの液体の漏れを防止する効果を維持しつつ、脚回り開口部３５付近の領域の通気性を高めることができる。
【００５９】
本実施形態では、透湿シート６４，７０は、第１透湿シートとしてのサイドギャザー７０と、第１透湿シートの非肌面側に設けられ、第１透湿シート７０よりも高い親水性を有する第２透湿シート６４と、を含む。第２透湿シート６４の親水性は、着用者の肌に面する第１透湿シート７０の親水性よりも高い。第１透湿シート７０が着用者の肌から水分を吸収した場合、水分は、第１透湿シート７０から第２透湿シート６４の方へ移動し易い。これにより、着用者の汗を外気に放出し易くなる。また、着用者の肌に接する第１透湿シート７０をより乾燥した状態に維持することができ、心地よい吸収性物品を提供することができる。
【００６０】
本実施形態では、第２透湿シート６４は例えば開口スパンレースから形成することができる。サイドシート７０が１枚のシートから構成される場合、サイドシート７０は、防漏性を保ちつつも、湿度を透す機能を果たすシートから構成されていることが好ましい。このようなシートの例として、ＳＭＳ不織布又は疎水性スパンボンド不織布を挙げることができる。
【００６１】
上記実施形態の代わりに、サイドシート７０は、少なくとも２枚のシートから構成されていてもよい。この場合、サイドシート７０を構成する少なくとも１枚のシートが、第２透湿シート６４と重なる。サイドシート７０を構成する残りのシートは、幅方向Ｗにおいて第２透湿シート６４よりも内側へ延びており、上述した漏防カフを構成する。この場合、サイドシート７０のうちの漏防カフを構成するシートは、例えば、防漏性を有するＳＭＳ不織布から形成することができ、サイドシート７０のうちの第２透湿シート６４と重なるシートは、開孔スパンレース、親水性スパンボンド不織布、親水性ポイントボンド不織布、親水性エアスルー不織布等から形成することができる。
【００６２】
幅方向Ｗにおいて立ち上がり基点Ｂ１から防漏シート６０ａの外側縁までの距離Ｗ１は、幅方向Ｗにおいて立ち上がり基点Ｂ１から透湿シート６４，７０の外側縁までの距離Ｗ２よりも短い。内側ギャザー７４の立ち上がり基点Ｂ１から防漏シート６０ａの外側縁までの距離Ｗ１が比較的短いため、着用者の動作中に、防漏シート６０ａの外側縁が非肌面側に反り返ることを抑制することができる。これにより、着用者が寝た姿勢や座った姿勢において、防漏シート６０ａの外側縁が非肌面側に折り返された状態になることが防止され、その結果、脚回り開口部３５付近の領域からの液体の漏れを抑制し易くなる。
【００６３】
防漏シート６０ａは、幅方向Ｗにおいて内側ギャザー７４の立ち上がり基点Ｂ１よりも内側に、前後方向Ｌに伸縮する第２弾性部材７６を有する。第２弾性部材７６は、幅方向Ｗにおいて吸収体４０よりも外側に設けられている。幅方向Ｗにおいて内側ギャザー７４よりも内側に存在する第２弾性部材７６の収縮によって、内側ギャザー７６よりも内側の領域が着用者の肌のまわりに沿い易くなり、これに伴い内側ギャザー７６がより着用者の脚回りに密着し易くなる。内側ギャザー７６が着用者の脚回りに密着することで、脚回り開口部３５からの液体の漏れを抑制することができる。
【００６４】
ターゲット部９５は、幅方向Ｗに延びており、幅方向Ｗにおいて内側ギャザー７４の立ち上がり基点よりも外側へ延びている。着用状態において、前胴回り域２０の幅方向Ｗ外側部分は、後胴回り域３０と擦れたり、着用者の動作の影響を受けやすい箇所となっている。したがって、前胴回り域２０の幅方向Ｗ外側部分は、着用中に曲がるように変形し易い。前胴回り域２０の幅方向Ｗ外側部分がこのように変形すると、その影響が脚回り開口部３５付近の領域へ伝わり、脚回り開口部３５付近の領域が捲れてしまうことがある。本実施形態では、内側ギャザー７４の立ち上がり基点Ｂ１よりも外側へ延びたターゲット部９５によって前胴回り域２０の外側部Ｗの剛性が向上するため、前胴回り域２０の幅方向Ｗ外側部分の変形を抑制し、これにより、脚回り開口部３５付近の領域の捲れを抑制することができる。したがって、脚周り開口部３５付近からの液体の漏れをより抑制することができる。
【００６５】
（２）吸収体の構成
次いで、吸収体４０の構成の一例について図３を用いて説明する。吸収体４０は、前後方向Ｌに延びる一対の第１折り線ＦＬ１と、前後方向に延びる一対の第２折り線ＦＬ２と、を有する。吸収体４０は、一対の第１折り線ＦＬ１及び一対の第２折り線ＦＬ２で折り畳まれている。本実施形態では、吸収体４０は、一対の第１折り線ＦＬ１と一対の第２折り線ＦＬ２とによって４か所で折られている。これにより、吸収体４０の一部が、重畳部４５で３層に畳重されている。吸収体４０の外側縁４０Ｅは、１層の吸収材料で構成されており、比較的薄い厚みを有する。よって、着用者の脚回りにおける違和感を低減できる。
【００６６】
重畳部４５は、第１折り線ＦＬ１と第２折り線ＦＬ２の間の部分である。一対の第２折り線ＦＬ２の間の領域では、１層の吸収材料のみが配置されている。一対の第２折り線ＦＬ２の間の領域、すなわち幅方向Ｗにおける中央領域では、吸収体４０の厚みが比較的薄い。したがって、この中央領域は、一対の第２折り線ＦＬ２よりも幅方向の外側の領域と比較して非肌面側に凹んでいる。これにより、吸収体４０の中央領域に排泄物（例えば尿）が保持され易くなり、排泄物の漏れを抑制しつつ、排泄物の吸収能力を高めることができる。
【００６７】
重畳部４５において上層４１と下層４２に挟まれた中間層４３における吸収材料の目付は、上層４１及び下層４２における吸収材料の目付よりも低くなっている。好ましくは、中間層４３は、実質的に吸収材料を有しない。具体的には、中間層４３は、設計上の吸収材料の目付が零であるが、製造工程中に上層４１又は下層４２を構成する吸収材料の混入を許容する。中間層４３が吸収材料を含まない場合、中間層４３は、上述したコアラップのみから構成される。中間層４３の吸収材料の目付が上層４１及び下層４２の吸収材料の目付と比較して低いため、重畳部４５の厚みが厚くなり過ぎることを抑制できる。
【００６８】
図３に示すように、吸収体４０の重畳部４５では、中間層４３の肌面と上層４１の非肌面とが接合されていない。また、中間層４３の非肌面と下層４２の肌面とが接合されていない。そのため、上層４１と下層４３とで相反する方向の力がかかり易くなる。よって、幅方向Ｗ外側から幅方向Ｗ内側に向かう力が加えられた際に、当該力の反力が発生し易く、吸収体４０の剛性を低下させる効果を発揮し易くなる。
【００６９】
（３）第２実施形態
図４は、第２実施形態に係る使い捨ておむつ１０の模式的断面図である。上述した実施形態と同様の構成については、同様の符号が付されている。以下では、上述した実施形態と異なる構成について説明する。
【００７０】
図４に示す実施形態では、使い捨ておむつ１０の吸収体４０の構造が、図３に示す実施形態と異なっている。吸収体４０は、単層の吸収材料から構成されている。このように、吸収体４０は、図３に示す構造に限られない。
【００７１】
（４）２つに折り返された透湿シートの接合領域
図５は、図２の５Ａ−５Ａ線に沿った使い捨ておむつ１０の模式的断面図である。図３及び図５に示すように、透湿シート６４は、幅方向Ｗにおける内側縁で前後方向Ｌに沿った折り線で折り返されている。これにより、透湿シート６４の肌面側の第１部分６４ａと透湿シート６４の非肌面側の第２部分６４ｂとが厚み方向Ｔに重なっている。透湿シート６４の第１部分６４ａはサイドシート７０に接合されている。透湿シート６４の第２部分６４ｂは防漏シート６０ａに接合されている。
【００７２】
図５に示すように、透湿シート６４の第１部分６４ａと透湿シート６４の第２部分６４ｂは、少なくとも前胴回り域２０及び後胴回り域３０で接着剤８０によって互いに接合されている。なお、接着剤８０が塗布されている領域は、図２で斜線を付けた領域Ａによって示されている。
【００７３】
少なくとも前胴回り域２０及び後胴回り域３０で第１部分６４ａと第２部分６４ｂとが互いに接合されているので、内側ギャザー又は防漏シートの外側縁が非肌面側にめくり返されてしまうことを抑制することができる。これにより、内側ギャザー７４の立ち上がりを必要な限度に維持することができる。また、使い捨ておむつ１０の製造中に内側ギャザー又は防漏シートの外側縁が非肌面側にめくり返されないため、良品を安定的に製造することができる。
【００７４】
本実施形態では、図２及び図３に示すように、透湿シート６４の第１部分６４ａと透湿シート６４の第２部分６４ｂは、股下域２５では、互いに接合されていない。なお、内側ギャザーの立ち上がり基点Ｂ１は、股下域における内側ギャザーの根本のうち最も幅方向外側に位置する部分によって定義される 。したがって、この場合、立ち上がり基点Ｂ１は、透湿シート６４の折り線の位置となる。
【００７５】
（５）第３実施形態
図６は、第３実施形態に係る使い捨ておむつの非肌面側から見た平面図である。図７は、図６の７Ａ−７Ａ線に沿った使い捨ておむつの模式的断面図である。上述した実施形態と同様の構成については、同様の符号が付されており、その説明を省略する。以下では、上述した実施形態と異なる構成について詳細に説明する。
【００７６】
第３実施形態では、透湿シート６４の第１部分６４ａと透湿シート６４の第２部分６４ｂとを接合する接合部８０の領域が、上記実施形態とは異なっている。透湿シート６４の第１部分６４ａと透湿シート６４の第２部分６４ｂは、股下域２５において、透湿シート６４の折り線に沿って設けられた接合部Ａで互いに接合されている。接合部Ａは、接着剤８０が塗布された領域から構成される。第３実施形態では、この接合部Ａが立ち上がり基点Ｂ１を構成している。
【００７７】
透湿シート６４の第１部分６４ａと透湿シート６４の第２部分６４ｂとが、接合部Ａで互いに接合されているので、内側ギャザー又は防漏シートの外側縁が非肌面側にめくり返されてしまうことを抑制することができる。これにより、内側ギャザー７４の立ち上がりを必要な限度に維持することができる。
【００７８】
接合部Ａは、前胴回り域２０から後胴回り域３０にかけて前後方向Ｌに沿って延びていることが好ましい。この場合、使い捨ておむつ１０を前後方向Ｌに搬送しながら接着剤８０を吐出することで、容易に接着剤８０を塗布することができる。
【００７９】
（６）第４実施形態
図８は、第４実施形態に係る使い捨ておむつの非肌面側から見た平面図である。図９は、図８の９Ａ−９Ａ線に沿った使い捨ておむつの模式的断面図である。上述した実施形態と同様の構成については、同様の符号が付されており、その説明を省略する。以下では、上述した実施形態と異なる構成について詳細に説明する。
【００８０】
第４実施形態では、図４で説明した実施形態と比較すると、内側ギャザー７４の立ち上がり基点Ｂ１の位置が異なっている。透湿シート６４は、幅方向Ｗにおける内側縁で前後方向Ｌに沿った折り線で折り返されている。これにより、透湿シート６４の肌面側の第１部分６４ａと透湿シート６４の非肌面側の第２部分６４ｂとが厚み方向Ｔに重なっている。透湿シート６４の第１部分６４ａと透湿シート６４の第２部分６４ｂは、少なくとも前胴回り域２０及び後胴回り域３０で接着剤８０によって互いに接合されている。なお、接着剤８０が塗布されている領域は、図８で斜線を付けた領域Ａによって示されている。
【００８１】
本実施形態では、透湿シート６４の第１部分６４ａと透湿シート６４の第２部分６４ｂは、股下域２５では、互いに接合されていない。なお、内側ギャザー７４の立ち上がり基点Ｂ１は、股下域における内側ギャザー７４の根本のうち最も幅方向外側に位置する部分によって定義される。したがって、この場合、立ち上がり基点Ｂ１は、透湿シート６４の折り線の位置となる。
【００８２】
本実施形態では、立ち上がり基点Ｂ１は、幅方向Ｗにおける吸収体４０の縁部４０Ｅよりも内側に位置する（図８も参照）。これにより、内側ギャザー７４は、少なくとも股下域２５において、吸収体４０の端部のところで防漏シート６０ａから離れ得る。これにより、吸収体４０の端部のところでも、通気性が向上する。したがって、使用者の脚の付け根付近のかぶれ等を抑止することができる。
【００８３】
（７）第５実施形態
図１０は、第５実施形態に係る吸収性物品の非肌面側から見た平面図である。図１１は、図１０の１１Ａ−１１Ａ線に沿った吸収性物品の模式的断面図である。図１２は、図１０の１２Ａ−１２Ａ線に沿った吸収性物品の模式的断面図である。上述した実施形態と同様の構成については、同様の符号が付されており、その説明を省略する。以下では、上述した実施形態と異なる構成について詳細に説明する。
【００８４】
第５実施形態では、透湿シート６４は、少なくとも幅方向Ｗにおいて吸収体４０全体を覆っている。透湿シート６４は、幅方向Ｗにおいて吸収体４０よりも外側で、サイドシート７０と接合されていてよい。防漏シート６０ａは、透湿シート６４よりも非肌面側に設けられている。
【００８５】
図１０及び図１１に示すように、透湿シート６４と防漏シート６０ａとは、少なくとも前胴回り域２０及び後胴回り域３０で接着剤８０によって互いに接合されている。なお、接着剤８０が塗布されている領域は、図１０で斜線を付けた領域Ａによって示されている。
【００８６】
第５実施形態では、図１０及び図１２示すように、透湿シート６４は、股下域２５の幅方向Ｗの外側部において防漏シート６０ａに接合されていない。この場合であっても、透湿シート６４の幅方向Ｗの外側部は、防漏シート６０ａから立ち上がり可能な内側ギャザーを構成する。
【００８７】
第５実施形態に係る吸収性物品では、内側ギャザーは、第１弾性部材７５の作用により、防漏シート６０ａから立ち上がり、着用者の脚回りに密着し易くなる。これにより、寝た姿勢や座った姿勢で着用者の耐圧がかかっていない領域において、着用者の脚回り領域から防漏シート６０ａが離れるので、脚回り領域の通気性が向上する。さらに、内側ギャザーは防漏シート６０ａよりも高い透湿度を有するため、脚回り領域の通気性がより向上する。
【００８８】
また、一般に、着用者が寝た姿勢において着用者の臀部や太腿から吸収体４０付近に圧力がかかった場合に、圧力によって吸収性物品から液体が漏れ易い。着用者が寝た姿勢や座った姿勢においては、着用者の太腿が吸収性物品の脚回り開口部付近を押圧することになる。本実施形態に係る吸収性物品では、着用者が寝た姿勢や座った姿勢において、太腿からの圧力により、内側ギャザー７４の非肌面側に防漏シート６０ａが密着することになる。これにより、防漏シート６０ａは、着用者が寝た姿勢や座った姿勢において、脚回り開口部付近の領域からの液体の漏れを抑制する。このように、第５実施形態に係る吸収性物品によれば、脚回り開口部付近の領域からの液体の漏れを防止する効果を維持しつつ、脚回り開口部付近の領域の通気性を高めることができる。
【００８９】
前述したように、透湿シート６４と防漏シート６０ａとは、少なくとも前胴回り域２０及び後胴回り域３０で接着剤８０によって互いに接合されている。透湿シート６４が、内側ギャザーよりも前後方向の両側で防漏シート６０ａに接合されているため、防漏シート６０ａの外側縁が非肌面側に反り返ることを抑制することができる。
【００９０】
（８）第６実施形態
図１３は、第６実施形態に係る吸収性物品において透湿シートと防漏シートとの接合部の領域を示している。第５実施形態と同様の構成については、同様の符号が付されており、その説明を省略する。以下では、上述した実施形態と異なる構成について詳細に説明する。
【００９１】
第６実施形態では、第５実施形態と比較すると、透湿シート６４と防漏シート６０ａとの接合部の領域Ａが異なっている。第６実施形態では、透湿シート６４は、股下域２５において間欠的に設けられた接合部Ａで防漏シート６０ａに接合されている。
【００９２】
接合部Ａは、股下域において前後方向に沿って部分的に延びた部分８１を有する。接合部Ａの前後方向に沿って部分的に延びた部分８１は、幅方向Ｗに間隔をおいて複数設けられていてよい。
【００９３】
前後方向に沿った接合部の部分８１は、股下域２５において液体が幅方向Ｗに流れることを防止する。これにより、液体の横漏れを抑制することができる。その一方で、接合部は、前後方向に部分的にしか延びていないので、股下域に２５おいて湿気は外部まで通り易くなっている。これにより、液体の漏れ抑制と通気性の向上との両立を図ることができる。
【００９４】
前後方向に沿った接合部の部分８１のうちの少なくとも１つは、幅方向Ｗにおいて吸収体４０よりも外側に配置されていることが好ましい。これにより、一端吸収体４０が吸収した液体が、幅方向Ｗの外側へ向かって流れることを防止することができる。
【００９５】
また、股下域２５において幅方向Ｗに沿った任意のライン上に、接合部の部分８１が存在していることが好ましい。言い換えると、股下域２５において、幅方向Ｗに沿った一直線上に接合部Ａが全く存在しないことはないように構成されていることが好ましい。これにより、液体が、幅方向Ｗの外側へ向かって流れることをより抑制することができる。
【００９６】
内側ギャザーの立ち上がり基点Ｂ１は、股下域２５における内側ギャザーの根本のうち最も幅方向外側に位置する部分、すなわち股下域２５において内側ギャザーの立ち上がり始める縁線のうち最も幅方向外側に位置する部分によって定義される 。すなわち、第６実施形態では、立ち上がり基点Ｂ１は、股下域２５における接合部の部分８１のうち、最も幅方向外側に位置する部分によって規定される（図１３参照）。
【００９７】
なお、第６実施形態では、接合部の部分８１は、前後方向Ｌに平行に延びている。この代わりに、接合部の部分８１は、前後方向Ｌに沿っていれば、前後方向Ｌから傾斜していてもよい。
【００９８】
（９）第７実施形態
図１４は、第７実施形態に係る吸収性物品において透湿シートと防漏シートとの接合部の領域を示している。第５実施形態と同様の構成については、同様の符号が付されており、その説明を省略する。以下では、上述した実施形態と異なる構成について詳細に説明する。
【００９９】
第７実施形態では、第５実施形態と比較すると、透湿シート６４と防漏シート６０ａとの接合部の領域Ａが異なっている。第７実施形態では、透湿シート６４は、股下域２５において間欠的に設けられた接合部Ａで防漏シート６０ａに接合されている。
【０１００】
接合部Ａは、股下域において前後方向に沿って部分的に延びた部分８１を有する。接合部Ａの前後方向に沿って部分的に延びた部分８１は、幅方向Ｗに間隔をおいて複数設けられていてよい。
【０１０１】
接合部Ａの前後方向に沿って部分的に延びた部分８１の端部は、幅方向Ｗの内側へ湾曲している。これにより、すなわち接合部の部分８１は、幅方向Ｗにおける中心から外側へ向かう液体を受け止める形状を有する。これにより、液体が、幅方向Ｗの外側へ向かって流れることをより抑制することができる。
【０１０２】
なお、第７実施形態では、接合部の部分８１は、前後方向Ｌに平行に延びている。この代わりに、接合部の部分８１は、前後方向Ｌに沿っていれば、前後方向Ｌから傾斜していてもよい。
【０１０３】
（１０）第８実施形態
図１５は、第８実施形態に係る吸収性物品において透湿シートと防漏シートとの接合部の領域を示している。第５実施形態と同様の構成については、同様の符号が付されており、その説明を省略する。以下では、上述した実施形態と異なる構成について詳細に説明する。
【０１０４】
第８実施形態では、第５実施形態と比較すると、透湿シート６４と防漏シート６０ａとの接合部の領域Ａが異なっている。第８実施形態では、透湿シート６４は、股下域２５において部分的に設けられた接合部Ａで防漏シート６０ａに接合されている。
【０１０５】
透湿シート６４と防漏シート６０ａとの接合部８２は、少なくとも前後方向Ｌにおける吸収性物品の中心Ｃよりも後側の領域において、幅方向Ｗにおける吸収体４０の外側縁よりも外側から、吸収体４０の外側縁を超えて幅方向の内側へ延びている。接合部８２は、前後方向Ｌおける中心Ｃよりも前側に達していてもよい。図１５に示す実施形態では、接合部８２は、幅方向において吸収体４０の外側縁より内側全体に設けられている。
接合部８２は、少なくとも前後方向Ｌにおける吸収性物品の中心Ｃよりも後側の領域において、幅方向Ｗにおける吸収体４０の外側縁よりも好ましくは１．５ｃｍ、より好ましくは１．０ｃｍ、さらに好ましくは０．５ｃｍ以内の距離だけ幅方向の外側へ達している。
【０１０６】
前後方向Ｌにおける吸収性物品の中心Ｃよりも後側の部分は、着用者の臀部又はその上部に対向する領域である。したがって、この領域は、着用者が座った姿勢及び着用者が寝た姿勢において、強い圧力を受ける。液体を吸収した吸収体４０が強い圧力を受けると、吸収体４０から染み出した液体が幅方向における吸収体４０の外側縁へ漏れる虞がある。本実施形態では、少なくとも前後方向Ｌにおける吸収性物品の中心Ｃよりも後側の領域において、接合部８２が、幅方向Ｗにおける吸収体４０の外側縁よりも外側から、吸収体４０の外側縁を超えて幅方向Ｗの内側へ延びているため、着用者の臀部から強い圧力を受ける領域においてシート同士が立ち上がらない。これにより、吸収体４０から液体が染み出し易い領域は、防漏シート６０ａと密着することになるので、液体の漏れを抑制することができる。
【０１０７】
内側ギャザーの立ち上がり基点Ｂ１は、股下域２５における内側ギャザーの根本のうち最も幅方向外側に位置する部分、すなわち股下域２５において内側ギャザーの立ち上がり始める縁線のうち最も幅方向外側に位置する部分によって定義される。すなわち、第８実施形態では、立ち上がり基点Ｂ１は、股下域２５における接合部の部分８２のうち、最も幅方向外側に位置する部分によって規定される（図１５参照）。
【０１０８】
（１１）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【０１０９】
上述した複数の実施形態で説明された特徴は、可能な限り、互いに組み合わせ及び／又は適用することが可能である。例えば、図１３〜図１５に示した接合部の領域Ａは、図８及び図９に示す実施形態の透湿シートの第１部分６４ａと第２部分６４ｂとを接合する接合部の領域に適用できる。ただし、図８及び図９に示す実施形態では、透湿シートは幅方向における中心部には存在しない。したがって、図１３〜図１５に示した接合部の領域Ａから、幅方向における中心部の領域を取り除いた領域に、接合部を設ければよい。
【０１１０】
また、図３，５，７に示す吸収体の構造を、第４〜第８実施形態に適用することも可能である。
【符号の説明】
【０１１１】
１０    使い捨ておむつ
２０    前胴回り域
２５    股下域
３０    後胴回り域
３５    脚回り開口部
４０    吸収体
５０    トップシート
６０    外装シート
６０ａ  漏防シート
７０    サイドシート
７４    内側ギャザー
７５    第１弾性部材
７６    第２弾性部材
９０    ファスニングテープ
９２    ターゲット部
【図１】
2017153929.tif 000003
【図２】
2017153929.tif 000004
【図３】
2017153929.tif 000005
【図４】
2017153929.tif 000006
【図５】
2017153929.tif 000007
【図６】
2017153929.tif 000008
【図７】
2017153929.tif 000009
【図８】
2017153929.tif 000010
【図９】
2017153929.tif 000011
【図１０】
2017153929.tif 000012
【図１１】
2017153929.tif 000013
【図１２】
2017153929.tif 000014
【図１３】
2017153929.tif 000015
【図１４】
2017153929.tif 000016
【図１５】
2017153929.tif 000017
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
前後方向と、
前記前後方向に直交する幅方向と、
吸収体と、
前記幅方向の両側に配置され、着用状態において着用者の脚回りに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記防漏シートに接合された接合部と、前記防漏シートに接合されておらず、前記防漏シートから立ち上がり可能な内側ギャザーと、を有しており、
前記内側ギャザーは、立ち上がり基点から前記幅方向の外側へ延び、
前記内側ギャザーは、前記前後方向に伸縮する第１弾性部材を有し、
前記透湿シートは、前記幅方向における内側縁で前記前後方向に沿った折り線で折り返されおり、
前記透湿シートの肌面側の第１部分と前記透湿シートの非肌面側の第２部分とが前記吸収性物品の厚み方向に重なっており、
前記透湿シートの前記第２部分が前記防漏シートに接合されている、吸収性物品。
【請求項２】
前記防漏シートは、前記幅方向において前記内側ギャザーの前記立ち上がり基点よりも内側に、前記前後方向に伸縮する第２弾性部材を有する、請求項１に記載の吸収性物品。
【請求項３】
着用者の腹側に配置される前胴回り域と、
着用者の背側に配置される後胴回り域と、
前記後胴回り域に設けられたファスニングテープと、
前記前胴回り域に設けられ、前記ファスニングテープが止着されるターゲット部と、を有し、
前記ターゲット部は、前記幅方向において前記内側ギャザーの前記立ち上がり基点よりも外側へ延びている、請求項１又は２に記載の吸収性物品。
【請求項４】
前記透湿シートは、第１透湿シートと、前記第１透湿シートの非肌面側に設けられ、前記第１透湿シートよりも高い親水性を有する第２透湿シートと、を含む、請求項１から３のいずれか１項に記載の吸収性物品。
【請求項５】
前記幅方向において前記立ち上がり基点から前記防漏シートの外側縁までの距離は、前記幅方向において前記立ち上がり基点から前記透湿シートの外側縁までの距離よりも短い、請求項１から４のいずれか１項に記載の吸収性物品。
【請求項６】
前記防漏シートは、前記幅方向において前記内側ギャザーの前記立ち上がり基点よりも外側で、前記幅方向において前記第１弾性部材よりも内側に、前記前後方向に伸縮する第２弾性部材を有する、請求項１に記載の吸収性物品。
【請求項７】
前記立ち上がり基点は、前記幅方向における吸収体の縁部よりも内側に位置する、請求項１から６のいずれか１項に記載の吸収性物品。
【請求項８】
着用者の腹側に配置される前胴回り域と、
着用者の背側に配置される後胴回り域と、
前記前胴回り域と前記後胴回り域との間に位置する股下域と、を有し、
前記透湿シートの前記第１部分と前記透湿シートの前記第２部分は、少なくとも前記前胴回り域及び前記後胴回り域で互いに接合されている、請求項１から７のいずれか１項に記載の吸収性物品。
【請求項９】
前記透湿シートの前記第１部分と前記透湿シートの前記第２部分は、前記股下域において、前記折り線に沿って設けられた接合部で互いに接合されており、
前記接合部が立ち上がり基点を構成する、請求項８に記載の吸収性物品。
【請求項１０】
着用者の腹側に配置される前胴回り域と、
着用者の背側に配置される後胴回り域と、
前記前胴回り域と前記後胴回り域との間に位置する股下域と、を有し、
前記透湿シートは、少なくとも前記幅方向において前記吸収体全体を覆っており、
前記透湿シートは、前記股下域において前記防漏シートに接合されていない、又は前記股下域において部分的に設けられた接合部で前記防漏シートに接合されている、請求項１から７のいずれか１項に記載の吸収性物品。
【請求項１１】
前記透湿シートは、前記防漏シートから立ち上がり可能な前記内側ギャザーよりも前記前後方向の両側で、前記防漏シートに接合されている、請求項１０に記載の吸収性物品。
【請求項１２】
前記接合部は、前記股下域において前記前後方向に沿って部分的に延びている、請求項９から１１のいずれか１項に記載の吸収性物品。
【請求項１３】
前記接合部は、少なくとも前記前後方向における前記吸収性物品の中心よりも後側の領域において、前記幅方向における前記吸収体の外側縁よりも外側から、前記吸収体の前記外側縁を超えて前記幅方向の内側へ延びている、請求項９から１１のいずれか１項に記載の吸収性物品。
【請求項１４】
前後方向と、
前記前後方向に直交する幅方向と、
吸収体と、
前記幅方向の両側に配置され、着用状態において着用者の脚回りに配置される脚回り開口部と、
前記吸収体よりも非肌面側に設けられ、前記吸収体よりも前記幅方向の外側へ延びた防漏シートと、を備えた吸収性物品であって、
少なくとも前記脚回り開口部において、前記防漏シートの肌面側に、前記防漏シートよりも高い透湿度を有する透湿シートが設けられており、
前記透湿シートは、前記幅方向における外側部において、前記防漏シートに接合されておらず前記防漏シートから立ち上がり可能な内側ギャザーを有し、
前記内側ギャザーは、前記前後方向に伸縮する第１弾性部材を有し、
前記透湿シートは、前記幅方向における内側縁で前記前後方向に沿った折り線で折り返されおり、
前記透湿シートの肌面側の第１部分と前記透湿シートの非肌面側の第２部分とが前記吸収性物品の厚み方向に重なっており、
前記透湿シートの前記第２部分が前記防漏シートに接合されている、吸収性物品。